(57)【要約】【課題】加工音声信号を決定する方法および携帯端末を提供する。【解決手段】加工音声信号を決定する方法であって、各々がマイクロホンを有する複数の携帯端末の間でアドホックネットワークを確立することと、前記複数の携帯端末のマイクロホンの各々で複数の音声信号を取得することと、少なくとも１つの携帯端末で前記複数の音声信号のうちの少なくとも２つが利用可能となるように前記複数の音声信号を前記アドホックネットワーク内で分配することと、前記少なくとも１つの携帯端末で、前記加工音声信号を得るために前記複数の音声信号のうちの少なくとも２つを合成することと、を含む方法。【選択図】図１
2011254464.tif 000002
【特許請求の範囲】
【請求項１】
加工音声信号を決定する方法であって、
各々がマイクロホンを有する複数の携帯端末の間でアドホックネットワークを確立することと、
前記複数の携帯端末のマイクロホンの各々で複数の音声信号を取得することと、
少なくとも１つの携帯端末で前記複数の音声信号のうちの少なくとも２つが利用可能となるように前記複数の音声信号を前記アドホックネットワーク内で分配することと、
前記少なくとも１つの携帯端末で、前記加工音声信号を得るために前記複数の音声信号のうちの少なくとも２つを合成することと、
を含む方法。
【請求項２】
前記複数の携帯端末の各々の位置情報を判断することを含み、
前記合成するステップは前記位置情報に依存する、請求項１に記載の方法。
【請求項３】
前記合成するステップは、前記複数の音声信号を調整すること、および／または、加えることを含み、
前記調整すること、および／または、加えることは、前記位置情報に依存する、請求項２に記載の方法。
【請求項４】
ターゲット位置を選択することを含み、
前記合成するステップは、前記ターゲット位置に照準を合わせて前記複数の音声信号のうちの少なくとも２つのビームフォーミングを行うことを含む、請求項２または３に記載の方法。
【請求項５】
前記位置情報は前記複数の携帯端末の全てにより取得されたノイズイベントに基づいて判断される、請求項２〜４のいずれか一項に記載の方法。
【請求項６】
前記ノイズイベントは、前記携帯端末のいずれかにより発せられるノイズであり、
前記ノイズイベントは人間により可聴であり、または、人間により可聴でない或いは人間にとってほとんど気にならない周波数範囲である、請求項５に記載の方法。
【請求項７】
前記位置情報は、少なくとも１つの携帯端末に含まれるジャイロセンサを用いて定期的に更新される、請求項２〜６のいずれか一項に記載の方法。
【請求項８】
前記合成するステップは、前記複数の音声信号のうちの少なくとも２つに基づいて前記加工音声信号がステレオ音声信号に相当するように信号処理することをさらに含む、請求項１〜７のいずれか一項に記載の方法。
【請求項９】
前記加工音声信号はサラウンド音声信号に相当する、請求項１〜８のいずれか一項に記載の方法。
【請求項１０】
前記携帯端末は携帯電話であり、アドホックネットワークを確立するステップ、複数の音声信号を取得するステップ、前記アドホックネットワーク内で前記複数の音声信号を分配するステップ、および／または、前記少なくとも１つの携帯端末で前記複数の音声信号の全てを合成するステップ、を制御するためのアプリケーションを各々実行中である、請求項１〜９のいずれか一項に記載の方法。
【請求項１１】
音声信号を取得するマイクロホンと、
アドホックネットワークを介して少なくとも１つの他の携帯端末と通信し、前記少なくとも１つの他の携帯端末により取得された少なくとも１つの他の音声信号を受信する無線インタフェースと、
加工音声信号を得るために前記音声信号と前記少なくとも１つの他の音声信号を合成するマイクロプロセッサと、
を備える、携帯端末。
【請求項１２】
前記マイクロプロセッサは、さらに、位置情報を判断し、前記音声信号と前記少なくとも１つの他の音声信号を前記位置情報に基づいて合成する、請求項１１に記載の携帯端末。
【請求項１３】
前記マイクロプロセッサは、さらに、前記位置情報に基づいて前記複数の音声信号を調性および／または加える、請求項１２に記載の携帯端末。
【請求項１４】
前記携帯端末は、ユーザによるターゲット位置の選択を可能とするユーザインタフェースを備え、
前記マイクロプロセッサは、前記音声信号および前記他の音声信号および／または前記アドホックネットワークに接続されたさらなる携帯端末の音声信号に基づいてビームフォーミングをさらに実行し、前記ビームフォーミングは前記ターゲット位置に照準が合わせられる、請求項１２または１３に記載の携帯端末。
【請求項１５】
加工音声信号を決定するシステムであって、
音声信号を取得するマイクロホンと、
アドホックネットワークを介して少なくとも１つの他の携帯端末と通信し、前記少なくとも１つの他の携帯端末により取得された少なくとも１つの他の音声信号を受信する無線インタフェースと、
加工音声信号を得るために前記音声信号と前記少なくとも１つの他の音声信号を合成するマイクロプロセッサと、
を有する複数の携帯端末を備える、システム。
【請求項１６】
加工音声信号を決定する方法であって、
各々がマイクロホンを有する複数の携帯端末の間でアドホックネットワークを確立することと、
前記複数の携帯端末のマイクロホンの各々で複数の音声信号を取得することと、
少なくとも１つの携帯端末で前記アドホックネットワークを介して他の全ての携帯端末の音声信号を受信することと、ここで、前記他の全ての携帯端末は前記少なくとも１つの携帯端末を除く前記複数の携帯端末を含み、
前記少なくとも１つの携帯端末で、前記少なくとも１つの携帯端末で取得された音声信号および前記他の携帯端末の音声信号の処理により、加工音声信号を決定することと、
を含む、方法。
【発明の詳細な説明】
【技術分野】
【０００１】
本発明の実施形態は、加工音声信号を決定する方法に関する。本発明のさらなる実施形態は携帯端末に関する。本発明のさらなる実施形態は加工音声信号を決定するシステムに関する。
【背景技術】
【０００２】
多くの音声アプリケーションは、加工音声信号の供給のために、音声信号を取得することと、その信号を処理することに基づく。
【発明の概要】
【０００３】
本発明の目的は、改善された加工音声信号を決定する方法を提供することである。また、本発明の目的は、改善された加工音声信号を決定することが可能な携帯端末を提供することである。また、さらなる目的は各々のシステムを提供することである。
【０００４】
これらの目的は、独立請求項による方法、携帯端末およびシステムにより解決される。
【０００５】
本発明のさらなる詳細は図面およびこれに続く説明を考慮することにより明らかになるであろう。
【図面の簡単な説明】
【０００６】
添付の図面は、実施形態のさらなる理解をもたらすために含まれ、本出願の一部に組み込まれて本出願の一部を構成する。図面は、実施形態を示し、明細書と共に実施形態の本質を説明するために用いられる。他の実施形態や実施形態の意図する効果は、以下の詳細な説明を参照して良く理解することにより容易に正しく認識されるだろう。図面の要素は相互に相対的にスケールされる必要なない。同様の参照符号は対応する類似の部分を指し示す。
【０００７】
【図１】加工音声信号を決定するための方法の実施形態のブロック図を示す。
【図２】加工音声信号を決定するための方法のさらなる実施形態を示す。
【図３】本発明による方法および各携帯端末の一例を示す。
【図４】本発明の実施形態により音声信号を調整および加算して改善された加工音声信号を決定することを示す図面である。
【図５】本発明の実施形態による携帯端末のユーザインタフェースを示す。
【図６】携帯端末の実施形態を示す。
【発明を実施するための形態】
【０００８】
以下、本発明の実施形態を説明する。以下で説明される全ての実施形態はどのような方法でも組み合わせられ得ることに留意することが重要である。すなわち、説明されたある実施形態が他の実施形態と組み合わせられないという限定はない。また、同じ参照記号は図面を通して同一または類似の要素を示すことに留意されたい。
【０００９】
本発明の他の実施形態が利用され得ること、および、構造的または論理的な変更が本発明の範囲から離れることなく行われ得ることに理解されたい。このため、以下の詳細な説明は限定の意味で捉えられず、本発明の範囲は添付の特許請求の範囲により定義される。
【００１０】
ここで説明される多様な実施形態の特徴は、特段の記載が無くても、相互に組合せられ得ることに理解されたい。
【００１１】
図１のＳ１００において、例えばスマートフォン、ＰＤＡ’ｓおよびポータブルコンピュータのような複数の携帯端末の間でアドホックネットワークが確立される。各携帯端末は、音声信号を取得（ｐｉｃｋ  ｕｐ）するマイクロホンを有してもよい。
【００１２】
各携帯端末は、例えばアドホックネットワークの確立を可能とする所定のアプリケーションを実行してもよい。各携帯端末または少なくともいくつかの携帯端末がスマートフォンまたは他の適切な携帯電話である場合、各アプリケーションによりアドホックネットワークが確立され得る。スマートフォン内のアプリケーションのような環境は「Ａｐｐ」と称されてもよい。
【００１３】
携帯端末上で各アプリケーションが実行中であると、いずれかの携帯端末のユーザは、携帯端末のユーザインタフェース上の各ボタンなどをプッシュすることによりアドホックネットワークを確立してもよい。これにより、この特定のユーザの携帯端末は、他の携帯端末に特定のユーザの携帯端末との各接続の確立を要求し得る。
【００１４】
図１のＳ１０２から理解されるように、続いて、アドホックネットワークを介して相互に接続された複数の携帯端末のマイクロホンにより音声信号が取得される。各携帯端末は例えば部屋の中で異なる場所に位置するので、複数の携帯端末のマイクロホンはマイクロホンアレイを形成する。
【００１５】
そして、取得された音声信号は、Ｓ１０４でアドホックネットワークを介して分配される。この分配は、各携帯端末が、各携帯端末のマイクロホンで各々取得された全ての音声信号を受信するように行われてもよい。または、取得された音声信号が分配される携帯端末の数を限定することも可能である。例えば、一人のユーザのみが、例えばアドホックネットワークの確立を開始したユーザまたはそれを要求した他のユーザのみが、自身の携帯端末で全ての音声信号を受信することで十分かもしれない。ユーザが各々の携帯端末の音声信号の受信を望むか否かは携帯端末で実行中のアプリケーションにより制御されてもよい。また、他の携帯端末で取得された音声信号の受信を要求するユーザは、必ずしも全ての音声信号を受信しなくてもよい。例えば、要求ユーザは、少なくとも利用可能な２つの音声信号、すなわち、要求ユーザのマイクロホン／携帯端末で要求ユーザ自身が取得した音声信号および１つのさらなる携帯端末の音声信号を有するように、１つの音声信号のみを受信することで十分かもしれない。要求ユーザにどの音声信号が送信されるかは、例えば、音声信号の品質、ＳＮＲ、ビームフォーミングアルゴリズム（以下参照）、アドホックネットワークにおける利用可能なバンド幅、および／または、ユーザが自身の携帯端末で現在実行中のアプリケーションの種類に依存してもよい。例えば、ステレオレコーディングのためには利用可能な２つの音声信号を有すれば十分である一方、サラウンド音声アプリケーションおよび／または再生のための音声レコーディングのためにはより多くの音声信号が必要である。
【００１６】
このため、さらなる実施形態においては、携帯端末は、各マイクロホンで取得された複数の音声信号の全てでなく、選択された特定の携帯端末のマイクロホンの音声信号のみを選択的に受信することも可能である。例えば、スピーカーのようなターゲット音源の近くに位置する２つのマイクロホンの２つの音声信号のみをある携帯端末に送信（分配）することで十分かもしれない。
【００１７】
図１に示した実施形態に従い、音声信号はＳ１０６で少なくとも１つの携帯端末により合成される。それは、アドホックネットワークを介して他の音声信号を受信することを要求した携帯端末であってもよい。これにより、加工音声信号が決定（生成）され得る。
【００１８】
加工音声信号は、複数のマイクロホン（マイクロホンアレイ）により取得された複数の音声信号の情報が含まれるので、１つの携帯端末で受信された音声信号に対して改善され得る。この構成によれば、良好なＳＮＲを有する加工音声信号を決定することが可能となる。ＳＮＲは、単一のマイクロホンのみにより取得された信号のＳＮＲと比較すると改善され得る。また、加工音声信号は、複数の位置で取得された音声信号を含むステレオ音声信号またはサラウンド音声信号であってもよい。
【００１９】
図２に示したさらなる実施形態によれば、Ｓ２００に示したように位置情報を判断することも可能である。位置情報を入手可能である場合、少なくとも１つの携帯端末、例えばさらなる音声信号の受信を要求したユーザの携帯端末で合成された音声信号は、図２においてＳ２０２およびＳ２００を付したボックスの間の矢印で示したように、位置情報に基づいて合成されてもよい。
【００２０】
さらに、Ｓ２０４に示したように、音声信号を調整（位相合わせ）および／または加えることも可能である。また、調整および加えることは位置情報に依存して行われてもよい。
【００２１】
位置情報は以下のように判断されてもよい。アドホックネットワークに接続されている携帯端末で実行中の各アプリケーションは、音声信号（マイクロホンデータ）と共に、そのローカルタイムスタンプを送信してもよい。そして、最初に、全てのクロックがサンプル精度に同期される（例えば、ＣＤ品質音声取得のためには１／４４１００秒で足りる。）。その後、音声信号は相互に調整（ａｌｉｇｎ：整列、揃える）される。例えば、ビールグラスが床に落ちる、または大きな笑い声のように、信号が全てのマイクロホンで取得される強いノイズ（ノイズイベント）があった場合、信号はこのノイズイベントを用いて相互に調整されてもよい。この調整から、音源から各マイクロホンまでの距離の差分を共有時間を用いて導き出すことができる。例えば、第１のマイクロホンが音声をｔ＝２２．５００ｍｓで検出し、第２のマイクロホンがこの音声を２４．７００ｍｓで検出した場合、検出時間の差分は２．２００ｍｓであり、これは、第１のマイクロホンが３３０ｍ／ｓ×２．２ｍｓまたは７３ｃｍだけ第２のマイクロホンよりもソースに近いことを示す。
【００２２】
当業者にとっては明らかであるように、３つのマイクロホンでは音源ごとに３つの距離測定結果が得られるが（第１対第２の音源、第１対第３の音源、第２対第３の音源）、新たな音源ごとに２つの新たな未知の位置パラメータがシステムに導入される（全ての音源が１平面内であるとする。）。このため、十分に全く異なる位置からの十分なノイズが存在し、全てのノイズが２次元平面内に制限される場合、全てのマイクロホンの相対的な位置を判断することができる。さらに、この配置が一度既知になれば、音源の３つのマイクロホンに対する位置もまた判断することができる。
【００２３】
完全に未知の音源位置の場合、配置を判断するために、複数のノイズ源のノイズイベントの複数の測定結果と共に４つのマイクロホンが有用であろう。単一のノイズ源のみが利用される場合、それは８つまたはそれ以上のマイクロホンを必要とすることもあり得る。しかし、音源位置検出のためのアルゴリズム、および／または、幾何学的または他の制約により、より少ないマイクロホンの使用が可能になり得る。
【００２４】
さらなる実施形態によれば、各携帯端末、例えばスマートフォンが、最初に互いの相対的な位置を判断するために利用可能なノイズイベントを自身で発することも可能である。そのようなキャリブレーションが可能である場合、先と同様に、いかなる外部音源（ノイズイベント）を必要とすることなく、相互にキャリブレーションし、互いの相対的な位置を判断するためには、４つの携帯端末／マイクロホンで十分かもしれない。
【００２５】
いずれの場合でも、携帯端末／マイクロホンの相対的な位置をノイズイベントに基づいて判断することは当業者に理解されるであろう。従来技術から多様なアルゴリズムが携帯端末の相対距離を判断するために用いられてもよい。このようなアルゴリズムは、通常、Ｎ番目のマイクロホンは、Ｎ−１の新たな方程式（音源と他のマイクロホンとの距離差分）をシステムに追加するが、３つの新たな未知値（自身の座標）のみを追加するという事実に基づく。このため、十分なマイクロホンが存在する場合、全体配置を一意に判断することができる。
【００２６】
さらなる実施形態によれば、相対位置は修正のために定期的に確認されてもよいし、現在状態を反映するように適合／更新されてもよい。ユーザ、および携帯端末のマイクロホンもまたその位置を変更し得る（ユーザは歩き回り得る。）。このような動きは、携帯端末に含まれ得るジャイロセンサにより検出されてもよい。
【００２７】
さらなる実施形態によれば、ターゲット位置を選択することも可能である。この場合、合成のステップ（図２のＳ２０２および図１のＳ１０６を参照）は、音声取得の照準を選択されたターゲット位置に合わせるビームフォーミングを行うこと含む。
【００２８】
例えば、部屋またはオープンスペースにターゲット位置で話しているターゲットスピーカーが存在するとする。そして、携帯端末により確立されたマイクロホンアレイを用いることにより、改善された加工音声信号を達成するためにターゲット位置（ターゲットスピーカー）に照準を合わせるビームフォーミング技術が利用されてもよい。これにより、信号対雑音比（ＳＮＲ）の改善が達成され得る。ビームフォーミングは、各マイクロホン信号は互いに遅延するので、例えばターゲット位置からの全ての音声は同相で加算され、他の位置からの全ての音声はランダム位相で加算されるように実現されてもよい。そして、位相加算された信号はユーザに再生されてもよいし、記録されてもよい。
【００２９】
このような携帯端末のあるアプリケーションは聴覚障害者用であってもよい。実際、多くの人間が集まっている状況下では、込み入ったかなりのノイズが存在するだろう。一例は、会議やカクテルパーティのような多くの参加者のいるミーティングである。音響の周囲状態の悪化により、コミュニケーションは、ノイズレベルおよび個人の聴覚能力によって多様な程度で妨げられ得る。聴覚障害者については、この状況は極めて早く扱い難くなるが、ある状況では通常の聴覚能力を有する人間でもコミュニケーションが困難であるかもしれない。上記から明らかなように、本発明の実施形態によれば、２つまたはそれ以上の適切な例えば近いマイクロホン信号のビームフォーミングにより例えばミックス信号からターゲットスピーカーを抽出し、非常に改善されたＳＮＲを達成できる。
【００３０】
位相加算された信号（加工音声信号）は、例えばイヤホンを介して例えば聴覚障害者ユーザに再生されてもよい。本発明のある実施形態によれば、イヤホンはユーザの携帯端末にケーブルを介して接続されてもよい。さらなる実施形態では、イヤホンは携帯端末と無線接続を介して接続されてもよい。聴覚障害者ユーザの補聴器が無線音声伝送をサポートする場合、携帯端末は、ユーザが普段使う補聴器と無線接続を確立してもよい。
【００３１】
携帯端末と補聴器との間のそのような無線接続はＷＢＡＮ（Ｗｉｒｅｌｅｓｓ  Ｂｏｄｙ  Ａｒｅａ  Ｎｅｔｗｏｒｋ）を介して行われてもよい。
【００３２】
また、他のスマートフォン（携帯端末の一例として）が部屋に存在しない場合、システムは単一マイクロホンモードで動作してもよいことに留意されたい。このモードでは、通常の補聴器の機能が反映される。通常の安価な携帯電話マイクロホンの品質はさほど良くないかもしれないので、聴覚障害者ユーザはフォールバック（ｆａｌｌｂａｃｋ）モードが良好なヒアリング体験を提供する特別なスマートフォンを利用することが推奨される。アドホックネットワークを確立することが可能な適切なアプリケーションを有するさらなるスマートフォンが周囲で発見されると直ぐに、ビームフォーミングを行ってもよい。これにより、コミュニケーションの品質が改善され得る。部屋に分散するより多くのスマートフォン（携帯端末）が存在する場合に改善はより大きくなる。
【００３３】
さらなる実施形態によれば、上述した方法は聴覚障害者にのみ用いられるものでなくてもよい。他のアプリケーションは周囲の音声信号に対応する加工音声信号を決定することが可能であってもよい。例えば、音声信号が部屋の多様な位置で取得された場合、この情報を、周囲音声を再生可能になるように再生装置の各々を制御するために利用してもよい。
【００３４】
また、ステレオレコーディングを可能とするためにマイクロホンアレイの２つのマイクロホンを選択することも可能である。
【００３５】
このように、さらなる実施形態によれば、上述または後述の携帯端末は音声取得の改善のために利用され得る。このような取得は例えば音楽レコーディングに有用である。例えば、コンサートの場合、サラウンド音声および／またはステレオ音声が取得され得る。
【００３６】
いずれにしても、ある携帯端末で得られる多様な位置の音声のレコーディングを行うことは他の多くのアプリケーションにとって有用であるだろう。
【００３７】
上述したように、本発明の実施形態は携帯端末上で実行中のアプリケーションに基づいてもよい。このようなアプリケーションは専門のマーケット場所を介して容易に供給され得る。一方、アドホックネットワークを介して部屋の他の携帯端末にアプリケーションを供給することも可能である。例えば、あるユーザがアドホックネットワークおよびマイクロホンアレイの確立を望み得る。そして、このユーザは、その周辺に分布する他の携帯端末で取得された音声信号の受信を望み得る。これを可能とするために、ユーザは、必要なアプリケーションをアドホックネットワークに含めることを望む他のユーザに送信してもよい。これにより、必ずしも個別の各ユーザがアプリケーションをダウンロード／購入しなくてもよい。あるユーザが自身の携帯端末にアプリケーションを有し、そのアプリケーションを部屋の他の携帯端末のユーザに供給することで十分かもしれない。
【００３８】
もちろん、携帯端末が部屋の中に位置する必要があるという限定はない。屋外または他のシナリオも可能である。
【００３９】
図３は、本発明のさらなる実施形態を説明するための一例を示す。この例では、３つの携帯電話（携帯端末）３０１、３０２、および３０３がアドホックネットワーク３１０によって接続されている。第１の携帯電話３０１は第１のマイクロホン３０５を備える。また、第２の携帯電話３０２は第２のマイクロホン３０７を備え、第３の携帯電話３０３は第３のマイクロホン３０９を備える。
【００４０】
図３の例で、第２の携帯電話３０２のユーザが聴覚障害者であると仮定する。このため、第２の携帯電話３０２のユーザは、自身の携帯電話３０２にイヤホン３１２を接続し、イヤホン３１２を自身の耳３１４に取り付ける。
【００４１】
イヤホン３１２で再生される改善された音声信号（加工音声信号）を決定するために、第２の携帯端末３０２のユーザはターゲット位置を選択してもよい。例えば、第２の携帯端末３０２のユーザはターゲット位置のスピーカー３２０を聞くことを望むかもしれない。ターゲット位置を選択するための実施形態は図５を参照して後述する。
【００４２】
図３の例で、ターゲット位置のスピーカー３２０が文「Ｈｉ  ｔｈｅｒｅ」と発したと仮定する。これにより、各音波３２５は空気を介してその口から第１〜第３の携帯電話３０１、３０２および３０３のマイクロホン３０５、３０７および３０９に伝播する。
【００４３】
図３において、第１の携帯電話３０１はスピーカー３２０から１．５ｍ離れていると考えられる。また、第２の携帯電話３０２はスピーカー３２０から２ｍの距離を有し、第３の携帯電話３０３はスピーカー３２０から２．５ｍの距離を有する。
【００４４】
このため、発生られた文「Ｈｉ  ｔｈｅｒｅ」に対応する音声信号が異なる時間にマイクロホン３０５、３０７および３０９により取得される。
【００４５】
これは図４に示される。
【００４６】
図４の上図４００は３つの信号４０１、４０２および４０３を示す。信号４０１は、図３の第１の携帯電話３０１のマイクロホン３０５により取得された信号に該当する。また、信号４０２は、図３の第２の携帯電話３０２のマイクロホン３０７により取得された信号に該当する。さらに、信号４０３は、図３の第３の携帯電話３０３のマイクロホン３０９により取得された信号に該当する。
【００４７】
矢印４１０および４１２により示したように、信号４０１、４０２および４０３は、異なるマイクロホン／携帯電話で、図３に示した各携帯電話とスピーカー３２０との間の距離の差分によって生じる所定の遅延を伴って受信される。
【００４８】
改善された（加工）音声信号を得るために、３つの信号４０１、４０２および４０３は、位相合わせされ（ａｌｉｇｎｅｄ）、加算されてもよい（ａｄｄｅｄ）。これにより、信号４０１、４０２および４０３のいずれと比較しても改善されたＳＮＲを有する加工信号４２０が得られる。
【００４９】
位相合わせは、図３の携帯電話３０１、３０２および３０３の位置情報に基づいてもよい。上述したように、この位置情報は、携帯電話３０１、３０２および３０３の互いの相対位置を示し得る。相対距離はノイズイベントに基づいて判断されてもよい。上述したように、このノイズイベントは、例えば床に落ちるビールグラスや大きな笑い声であってもよい。そのようなノイズイベントが無い場合、または、そのような自然なノイズイベントの利用に代えて、１または全ての携帯端末が各音声を除いて人工ノイズイベントを生成することも可能である。例えば、携帯端末のアプリケーションは携帯電話の１つの短い着信音を開始させてもよい。もちろん、高い精度を得るために、各携帯電話は順次に各々の音声信号を発してもよい。
【００５０】
さらなる実施形態では、ノイズイベントは、人間には聞こえない（またはほとんど気にならない）が、マイクロホンにより取得可能な周波数範囲であってもよい。これにより、位相合わせがより正確に行われ得る、かつ／または、ノイズイベントがこのシステムのユーザを邪魔しないだろう。
【００５１】
図５は、ユーザインタフェース５０４を有する携帯電話５００の実施形態を示す。ユーザインタフェース５０４は、携帯電話５００のタッチスクリーンの利用に基づいてもよい。ユーザインタフェース５０４において、アドホックネットワークを介して携帯電話５００に接続されている携帯電話の位置が、接続されている携帯電話の位置に対応する位置に表示され得る。携帯電話５００自身の位置は５０３に示したように特定のシンボルで示されてもよい。これは、ユーザが良好なオリエンテーションを得る助けとなり得る。
【００５２】
ユーザインタフェース５０４は、各位置で携帯電話５００のタッチスクリーンをタッチすることにより携帯電話５００のユーザがターゲット位置５１０を選択することを可能とし得る。例えば、携帯電話５００のユーザがスクリーンの領域５１０をタッチした場合、携帯電話５００は、タッチスクリーンに示されたシンボル５０１、５０２および５０３に対応する携帯電話で取得された音声信号のビームフォーミングに基づき加工音声信号を出力し得る。携帯電話５００のユーザがシンボル５０１および５０２に対応する携帯電話から音声信号を受信した場合、携帯電話５００は例えばターゲット位置で話すスピーカーの非常に良好なＳＮＲを有する加工音声信号を決定してもよい。
【００５３】
さらなる実施形態では（図示しない）、ビームフォーミングが実行される基となるターゲット位置は自動的に判断されてもよい。例えば、単一のスピーカーからスピーチが発せられる領域をシステムが判断した場合、各位置に照準を合わせた加工音声信号を生成するためにビームフォーミング自動的に行われてもよい。
【００５４】
図６は、携帯端末６００のさらなる実施形態を示す。携帯端末６００は、マイクロホン６０２、無線インタフェース６０４およびマイクロプロセッサ６０６を備える。
【００５５】
マイクロホン６０２は音声信号を取得する。また、無線インタフェース６０４はアドホックネットワークを介して少なくとも１つの他の携帯端末と通信する。また、無線インタフェース６０４は、少なくとも１つの他の携帯端末により取得された少なくとも１つの他の音声信号を受信してもよい。
【００５６】
また、マイクロプロセッサ６０６は、上記音声信号と、上記少なくとも１つの他の音声信号を、加工音声信号を得るために合成する。
【００５７】
また、マイクロプロセッサ６０６は、位置情報を判断し、位置情報に基づいて上記音声信号および上記少なくとも１つの他の音声信号を合成してもよい。
【００５８】
オプションで、さらなる実施形態によれば、携帯電話６００はジャイロセンサ６０８を備えてもよい。ジャイロセンサ６０８は位置情報を更新するために利用され得る。すなわち、位置情報を判断するための方法は複数存在する。１つの方法は、携帯端末６００に接続されている他の携帯端末により検出／取得されたノイズイベントを利用することによってなる。これが一度行われると、ジャイロセンサ６０８は、位置情報の更新のための追加的なソースとして、場合によりさらなるノイズイベントとの組み合わせで利用されてもよい。例えば、携帯端末６００のユーザが歩き回った場合、ジャイロセンサ６０８はそれを検出し、位置情報を逐次更新し得るマイクロプロセッサ６０６に各信号を送ってもよい。
【００５９】
位置情報の精度を向上するための追加的なソースの情報として、ＧＰＳ／ｄＧＰＳまたはＧａｌｉｌｅｏ（ヨーロッパ衛星利用位置判断システム）のような衛星利用型位置判断システムによって導出される位置に関する情報を含んでもよい。例えば、携帯端末６００は、内蔵式の位置判断機能および／またはモジュール（図示せず）を有してもよい。そして、位置判断機能および／またはモジュールにより判断された情報は位置情報の判断のために用いられてもよい。
【図１】
2011254464.tif 000003
【図２】
2011254464.tif 000004
【図３】
2011254464.tif 000005
【図４】
2011254464.tif 000006
【図５】
2011254464.tif 000007
【図６】
2011254464.tif 000008